(57)【要約】多数のセクションを有する人工爪またはチップ配列を提供するための配列、システム及び方法を提供する。配列は、第１上面と第１下面とを有する第１セクションを含み、第２セクションは、第２上面と第２下面とを含み、第１セクションと隣接する。第１及び第２セクションは、近位端及び遠位端で結合された配列を形成する。第１下面の少なくとも一部は、第２上面と重なり、第１下面と重なっている第２上面の部分は、第２上面との接触点において、第１上面に対して鋭角を形成する。
2011525121.tif 000002
【特許請求の範囲】
【請求項１】
第１上面と第１下面とを有する第１セクションと、
前記第１セクションに隣接し、第２上面と第２下面とを有する第２セクションと、を備える人工爪またはチップ配列であって、
前記第１及び第２セクションは、近位端と遠位端とを有する結合された配列を形成し、前記遠位端は、天然爪の前方部に提供されるように形成され、前記近位端は、前記遠位端の反対側に提供されるように形成され、
前記遠位端は、前記近位端より前記天然爪のキューティクル部分から離間して提供され、
前記第１下面の少なくとも一部は、前記第２上面と重なるようになっており、前記第１下面と重なっている第２上面の少なくとも一部が、前記第２上面との接触点において、前記第１上面に対して鋭角を形成することを特徴とする人工爪またはチップ配列。
【請求項２】
前記第１下面と重なっている前記第２上面の少なくとも一部は、前記人工爪またはチップ配列の前方の遠位端のチップセクションまたはチップに隣接した所に提供されるように形成されることを特徴とする請求項１記載の人工爪またはチップ配列。
【請求項３】
前記第１下面は、実質的に前記第１下面の全長にわたって前記第２上面と重なることを特徴とする請求項１記載の人工爪またはチップ配列。
【請求項４】
前記第２下面の少なくとも一部は、前記ユーザの前記天然爪の上面と重なることを特徴とする請求項１記載の人工爪またはチップ配列。
【請求項５】
前記第２セクションは、前記人工爪またはチップ配列の前記近位端から前記遠位端まで延長されていることを特徴とする請求項１記載の人工爪またはチップ配列。
【請求項６】
前記第１下面の少なくとも一部は、１以上の区画を備える境界面を形成するために、前記第２上面と重なることを特徴とする請求項１記載の人工爪またはチップ配列。
【請求項７】
前記境界面は、実質的に連続した曲線を備える特定の区画を備えることを特徴とする請求項６記載の人工爪またはチップ配列。
【請求項８】
前記境界面は、前記第１上面に実質的に平行に延長する特定の区画で末端に配されたさらなる区画を含むことを特徴とする請求項７記載の人工爪またはチップ配列。
【請求項９】
前記第１セクションは、付加的な第１の既定の色相が構成され、前記第２セクションは、前記最初に既定されて追加された色相と異なる、二番目の既定の色相がさらに構成されることを特徴とする請求項１記載の人工爪またはチップ配列。
【請求項１０】
前記第１セクションは、付加的な第１の既定の色相が、白色または白色に近い色で構成されることを特徴とする請求項９記載の人工爪またはチップ配列。
【請求項１１】
前記近位端は、前記ユーザの前記天然爪のキューティクル部分に、または遠位端より前記ユーザの前記天然爪のキューティクル部分に近い所に提供されることを特徴とする請求項９記載の人工爪またはチップ配列。
【請求項１２】
前記第１下面と重なっている前記第２上面の少なくとも一部は、前記人工爪またはチップ配列の前方の遠位端のチップセクションまたはチップに隣接した所に提供されるように形成されることを特徴とする請求項６記載の人工爪またはチップ配列。
【請求項１３】
前記第１下面は、実質的に前記第１下面の全長にわたって前記第２上面と重なることを特徴とする請求項６記載の人工爪またはチップ配列。
【請求項１４】
前記第２下面の少なくとも一部は、前記ユーザの前記天然爪の上面と重なることを特徴とする請求項６記載の人工爪またはチップ配列。
【請求項１５】
前記第２セクションは、前記人工爪またはチップ配列の前記近位端から前記遠位端まで延長されていることを特徴とする請求項６記載の人工爪またはチップ配列。
【請求項１６】
第３上面と第３底表面とを有する第３セクションをさらに含むものであって、
前記第３セクションは、前記第２セクションに隣接し、前記第１セクションより前記天然爪の前記キューティクル部分に近い所に提供され、
前記第２及び第３セクションは、さらなる近位端とさらなる遠位端とを有する結合された配列を形成し、前記さらなる遠位端は、天然爪のセンター部分または後端部分に近い遠位端の反対側に提供されるように形成され、
前記第３下面の少なくとも一部は、前記第２上面のセクションと重なるようになって、第２下面と重なっている第２上面の少なくとも一つのさらなる部分が、前記第２上面との接触点において、前記第３上面に対して鋭角を形成することを特徴とする請求項１記載の人工爪またはチップ配列。
【請求項１７】
上部境界線は、第１上面と第２下面と隣接したセクションの間に提供され、小突出部が、前記上部境界線に沿って、または前記上部境界線上に提供されることを特徴とする請求項１記載の人工爪またはチップ配列。
【請求項１８】
人工爪またはチップ配列を提供する方法であって、
第１上面と第１下面とを有する第１セクションを生成すること、
前記第１セクションに隣接し、第２上面と第２下面とを有する第２セクションを生成すること、
前記第１及び第２セクションが結合された配列を形成すること、前記結合された配列は、近位端と遠位端とを有し、前記遠位端はユーザの前記天然の前方部に提供されるように形成され、前記前記近位端は前記遠位端の反対側に提供されるように形成され、前記遠位端は前記近位端より天然爪のキューティクル部分から離間して提供されるように形成される、
前記第２上面の少なくとも一部と前記第１下面とを重ねること、前記第１下面と重なっている前記第２上面の少なくとも一部が、前記第２上面との接触点において、前記第１上面に対して鋭角を形成することを特徴とする人工爪またはチップ配列を提供する方法。
【発明の詳細な説明】
【技術分野】
【０００１】
本発明は、指爪のための人工爪及び／または人工チップに関する。より詳細には、本発明は、多数のセクションを有する人工爪またはチップ配列を提供するための配列、システム及び方法に関する。
【背景技術】
【０００２】
人工爪は、一般的に、指及び／または足指の美容的外観を向上させるために使われてもよく、損失または損傷された天然爪の代わりに使われてもよく、現在の指爪の外観を向上させるために使われてもよい。典型的に、人工爪またはチップは、天然爪が折れることなしに育つにはあまりにも弱い場合に、所望の指爪の長さ、及び／または外形を得るために使われる。人工爪またはチップの使用は、指爪の光沢剤が天然爪の表面より人工爪の表面にさらによく接着されるので、特定の状況で好まれる。
【０００３】
多数のセクションで形成された人工爪の配列を提供することが、当該技術分野で知られている。このような配列は、天然爪の一般的な外形を形成するために、互いに結合された薄く成形されたプラスチックセクションから作ることができる。互いに分離されているセクションを貼り付けるため、接着剤を１以上のセクションに適用されうる。前記セクションは、ともに配置されて、前記天然爪の外形を形成するように互いに位置される。典型的に、二つまたはそれ以上の隣接したセクションは、ともに前記指爪の配列の上面を形成する。
【０００４】
現存する指爪の配列と関連してさまざまの短所を有する。例えば、典型的に、前記隣接したセクションの間の接合は、失敗する傾向があるので、前記指爪の配列の１以上のセクションが分離される。また、従来の人工爪の配列に対する他の短所は、それらの外観が天然爪から、通常容易に区別することができるということである。例えば、前記指爪の配列の上面を形成する隣接したセクションの接合は、度々顕著な凸部及び／または接合された所を有した上面をもたらす。従来の人工爪の配列で滑らかな上面を得るのは実質的に難しく、度々指爪の配列の適用に相当な技術を必要とする。
【０００５】
したがって、指爪の配列の隣接したセクション間に強い接合が提供され、また、天然爪との区別を最小化する多数のセクションを有した指爪の配列が要求される。
【先行技術文献】
【特許文献】
【０００６】
【特許文献１】米国特許出願公開第２００６／０２３７０２７号明細書
【発明の概要】
【発明が解決しようとする課題】
【０００７】
本発明の課題は、指爪の配列の隣接したセクション間に強い接合が提供されると共に、天然爪との区別を最小化した多数のセクションを有した指爪の配列及び方法を提供することである。
【課題を解決するための手段】
【０００８】
本発明は、第１上面と第１下面とを有する第１セクションと、第１セクションに隣接し、第２上面と第２下面とを有する第２セクションと、を含む人工爪またはチップ配列であって、第１及び第２セクションは、近位端と遠位端とを有する結合された配列を形成し、遠位端は、天然爪の前方部に提供されるように形成され、近位端は、前記遠位端の反対側に提供されるように形成され、遠位端は、前記近位端より天然爪のキューティクル部分から離間して提供され、第１下面の少なくとも一部は、第２上面と重なるようになって、第１下面と重なっている第２上面の少なくとも一部が、第２上面との接触点において、第１上面に対して鋭角を形成する。
【０００９】
この際、第１下面と重なっている前記第２上面の少なくとも一部は、人工爪またはチップ配列の前側末端のチップセクションまたはチップに隣接した所に提供されるように形成される。
【００１０】
第１下面は、実質的に前記第１下面の全長にわたって第２上面と重なり、第２下面の少なくとも一部は、ユーザの天然爪の上面と重なる。
第２セクションは、人工爪またはチップ配列の近位端から遠位端まで延長され、第１下面の少なくとも一部は、１以上の区画を含む境界面を形成するために、前記第２上面と重なる。
【００１１】
この際、境界面は、実質的に連続した曲線を含む特定の区画を含むだけではなく、前記第１上面に実質的に平行に延長する特定の区画において、末端に配されたさらなる区画を含む。
【００１２】
第１セクションは、付加的な第１の既定の色相が構成されており、前記第２セクションは、前記第１の既定の色相とは異なる、付加的な第２の既定の色相が構成される。
【００１３】
第１セクションは、白色または白色に近い色がさらに第１の既定の色相で構成され、前記近位端は、遠位端よりユーザの天然爪のキューティクル部分に、または近い所に提供される。
【００１４】
また、本発明による人工爪及びチップ配列は、第３上面と第３底表面とを有する第３セクションをさらに含み、第３セクションは、第２セクションに隣接し、第１セクションより天然爪の前記キューティクル部分に近い所に提供され、第２及び第３セクションは、さらなる近位端とさらなる遠位端とを有する結合された配列を形成し、さらなる遠位端は、天然爪のセンター部分または裏部分に近い遠位端部分の反対側に提供されるように形成され、第３下面の少なくとも一部は、前記第２上面のセクションと重なるようになって、第２下面と重なっている第２上面の少なくとも一つのさらなる部分が、前記第２上面との接触点において、前記第３上面に対して鋭角を形成する。
【００１５】
本発明による人工爪またはチップ配列を提供する方法は、第１上面と第１下面とを有する第１セクションを生成すること、前記第１セクションに隣接し、第２上面と第２下面とを有する第２セクションを生成すること、前記第１及び第２セクションが結合された配列を形成すること、前記結合された配列は、近位端と遠位端とを有し、前記遠位端はユーザの前記天然の前方部に提供されるように形成され、前記前記近位端は前記遠位端の反対側に提供されるように形成され、前記遠位端は前記近位端より天然爪のキューティクル部分から離間して提供されるように形成される、前記第２上面の少なくとも一部と前記第１下面とを重ねること、前記第１下面と重なっている前記第２上面の少なくとも一部が、前記第２上面との接触点において、前記第１上面に対して鋭角を形成する。
【発明の効果】
【００１６】
本発明の人工爪／チップは、多数のセクションからなり、前記セクションが隣接して形成された境界面は、一つまたはそれ以上の区画を形成し、隣接したセクションは、互いの上面に対して角度を形成しうる。
【００１７】
また、本発明の人工爪／チップの多数のセクションのうち第１セクションは、末端側にさらに延びたセクションを利用することができ、第３セクションは、キューティクルまたはキューティクルの付近に形成されて立体感を与えることができる。
また、本発明の人工爪／チップの表面は、多数のセクション（第１及び第２セクション）からなるにもかかわらず、上面が滑らかである。
【００１８】
また、本発明の人工爪／チップは、異なる色相を使ったセクションを用いて指または足指に適用することで、美容的または視覚的な効果の上昇に有用である。
また、本発明の人工爪／チップは、消費者や専門家など誰にでも容易に付着することができる。
【００１９】
また、彩色されている本発明の人工爪／チップは、ひっかき、削れ、擦れ及び剥離によって損傷されない。
【図面の簡単な説明】
【００２０】
【図１】一実施形態による指爪またはチップ配列の側面図。
【図２】一実施形態による指爪またはチップ配列の上面図。
【図３】一実施形態による指爪またはチップ配列の側面図。
【図４】一実施形態による指爪またはチップ配列の側面図。
【図５】一実施形態による指爪またはチップ配列の側面図。
【図６】一実施形態による指爪またはチップ配列の上面図。
【発明を実施するための形態】
【００２１】
図面を通じて別途に表示されていなければ、同一の参照数字及び文字は、一実施形態の特性、要素、構成物または一部を表示するために使われる。さらに、本発明は、図面を参考にして細部的に説明され、一実施形態と連関して完成される。添付した請求項によって定義したように、本発明の実際の範囲と気質とを外れない範囲で、一実施形態に変化と修正とを加えることができる。
【００２２】
本明細書の一実施形態で、多数のセクションを有する人工爪またはチップ配列の提供のための配列、システム及び方法を提供する。
【００２３】
本発明の一実施形態によれば、本発明は、人工爪またはチップ配列を提供することができる。前記代表的な配列は、上面と下面とを有する第１セクション及び第１セクションに隣接している上面と下面とを有する第２セクション部分を含みうる。前記第１及び第２セクションは、近位端と遠位端とを有する結合された配列を形成しうる。前記第１セクションの下面の少なくとも一部は、前記隣接した第２セクションの上面と当接することができて、前記隣接した第１セクションの下面と重なっている前記第２セクションの前記上面の部分は、前記第１セクションの上面に対する鋭角を形成しうる。
【００２４】
本発明のさらなる一実施形態によれば、本発明は、人工爪またはチップ配列を提供する方法を提供することができる。特に、上面と下面とを有する第１セクションが提供され、上面と下面とを有する隣接した第２セクションがまた提供される。また、前記結合された配列は、前記第１及び第２セクションから形成される。前記第２セクションの上面の少なくとも一部に、前記隣接した第１セクションの下面を重ねることも可能であって、前記隣接した第１セクションの下面と重なっている前記第２セクションの前記上面の部分は、前記第１セクションの上面に対する鋭角を形成しうる。
【００２５】
一実施形態として、本発明は、人工爪／チップの提供のための配列、システム及び方法を含む。本発明による配列、システム及び方法は、例えば、指または足指のような身体を延長させるために適用することができ、特に、指爪の美容的または視覚的な効果を上昇させるために有益である。一実施形態として、本発明は、消費者による付着（例えば、フルカバーネイル）だけではなく、専門家による付着（例えば、アクリル方法）に利用されうる。
【００２６】
図１は、二つのセクションを備える人工爪／チップ配列１０の一実施形態の側面図である。前記人工爪／チップ配列１０は、一般的に天然爪の外観を模倣して形状されうる。例えば、本発明の一実施形態による前記人工爪／チップ配列１０の１以上は、それらの幅よりもさらに広い長さでほぼ長方形または曲線状の形状を有しうる。しかし、前記人工爪／チップ配列１０は、その望ましい適用のために、或る形状またはサイズで提供されることがある。
【００２７】
本発明の一実施形態において、「人工爪」という用語は、着用者の天然爪の全体表面上に適用可能であるフルカバー指爪と着用者の天然爪の一部に適用可能である指爪の延長を意味するが、これに限定されるものではない。着用者の天然爪は、指の指爪または足爪であり得る。したがって、本発明の一実施形態による人工爪は、着用者の指爪と足爪とに適用するために、サイズ及び外形が形成される。一実施形態で、前記人工爪／チップ配列１０は、サイズと長さとに基づいて多数の標準セットが製造可能であって、前記ユーザ／着用者は、前記ユーザ／着用者の指爪のサイズ及び外形に近い所望のサイズ及び外形を選択することができる。
【００２８】
図１に示すように、前記指爪／チップ配列１０は、前記配列１０の少なくとも一部が着用者の天然爪１５（例えば、そのキューティクルから）から、及び／または末端まで延長する大きさとしてもよい。本発明による実施形態で、前記指爪／チップ配列１０は、上面６０と下面８０とを有する第１セクション２０だけではなく、上面７０と下面９０とを有する第２セクション３０を備えてもよい。一実施形態で、第２セクション３０は、前記第１セクション２０に側面に隣接して配され、前記第１セクション２０の少なくとも一部によって重なることができる。一実施形態で、前記第１セクション２０及び前記第２セクション３０は、隣接する時、遠位端４０と着用者の指（天然爪１５）のキューティクルまたはそれと隣接した所にある近位端５０を含む結合された配列を形成しうる。さらなる実施形態によれば、前記第１セクション２０と前記第２セクション３０のうち何れか一側または両側は、１以上のサブセクションを備え、サブセクションが結合すれば、それぞれ前記第１セクション２０と第２セクション３０とを形成しうる。
【００２９】
本発明の一実施形態によれば、前記近位端５０は、天然爪１５の前記キューティクル部分の上に提供されて形成される。さらなる実施形態によれば、遠位端４０は、前記キューティクル部分から反対側に離れて、前記天然爪１５の前方部に提供されて形成される。
【００３０】
本発明による一実施形態において、前記第１セクション２０の前記下面８０の少なくとも一部は、境界面９５で前記第２セクション３０の前記上面７０の少なくとも一部と重なる。一実施形態において、隣接したセクション２０及びセクション３０の間の境界面９５は、１以上の区画を備えうる。例えば、図１に示すように、前記境界面９５は、実質的に連続した曲線を含むただ一つの区画を備えることができる。図１に示すように、本発明の一実施形態によれば、前記第２セクション３０の上面７０は、前記第１セクション２０の上面６０から離れた所で曲線を描く曲線状であり得る。本発明の他の実施形態によれば、前記第２セクション３０の上面７０は、前記第１セクション２０の上面６０から離れて少なくとも一部が直線状に延長された直線状のセクションであり得る。このような趣旨で、前記第１セクション２０の下面８０の少なくとも一部は、前記第１セクション２０の上面６０の少なくとも一部の形状に実質的に一致する形状であり得る。
【００３１】
一実施形態において、前記第２セクション３０の上面７０の少なくとも一部は、前記第１セクション２０の上面６０の部分に対して曲がって形成されうる。例えば、図１に示すように、前記第２セクション３０の上面７０の部分は、前記指のチップに、またはそれと隣接した部分のようなキューティクルから遠い距離に提供されるように形成され、前記第１セクション２０の上面６０に対して鋭角が形成される。図１に示すように、前記第１セクション２０の下面８０は、実質的にその全長にわたって前記第２セクション３０の上面７０と接触する。さらなる例として、前記第１セクション２０の一部は、前記第２セクション３０を越えて末端に延長することができて、前記第１セクション２０の下面８０の一部は、前記第２セクション３０の上面７０と接触しない。
【００３２】
図２は、本発明の一実施形態による指爪／チップ配列１０の上面図である。図２を説明すれば、前記第１セクション２０の上面６０と前記第２セクション３０の上面７０は、前記指爪／チップ配列１０で実質的に滑らかな上面を形成する。また、図２は、前記第１セクション２０の上部６０が、遠位端４０から側面に延びて近位端５０側に特定の距離を置く実施形態を説明するものであり、前記第１セクション２０の上部６０が、遠位端４０から近位端５０側の側面にいかなる長さにも延長させることができると認識されなければならない。
【００３３】
図３は、本発明による指爪／チップ配列１００の一実施形態の側面図である。図１及び図２と関連して、前述した一実施形態のように、一実施形態による指爪／チップ配列１００は、上面１２０と下面１２５とを有する第１セクション１１０だけではなく、上面１３５と下面１４０とを有する第２セクション１３０を備えうる。前述した実施形態のように、前記第１セクション１１０の前記下面１２５の少なくとも一部は、境界面１４５で前記第２セクション１３０の前記上面１３５の少なくとも一部と重なる。前述したさらなる実施形態のように、隣接したセクションの間の境界面１４５は、多数の区画を備えうる。例えば、図２で類似した構成要素として、境界面１４５は、実質的に連続した曲線を含む第１区画と第１セクション１１０の上面１２０に実質的に平行に延長することができ、前記第１区画に対して末端に位置される第２区画とを備えうる。さらに、前記境界面１４５の前記第２区画に相応する前記第２部分１３０の前記上面１３５の一部は、また前記第１セクション１１０の上面１２０に実質的に平行に延長することができる。それにもかかわらず、前述した一実施形態のように、キューティクルから特定の距離に提供されて形成される前記第２セクション１３０の前記上面１３５の一部は、前記第１部分１１０の上面１２０に対して鋭角を形成しうる。
【００３４】
特定の実施形態において、前記指爪／チップ配列１０、１００は、一般的に均一な厚さ、例えば、約０．８〜１．０ｍｍであり、前記天然爪１５に容易に付着または融合指せるために、前記近位端５０側に厚さを減少させる（例えば、テーパ状にする）ことができる。さらなる実施形態において、前記指爪／チップ配列１０、１００は、いかなる厚さにすることも可能であり、好む美学及び／または他の要因に基づいてテーパ状にすることができる。
【００３５】
本発明によるさらなる実施形態において、前記指爪／チップ配列１０、１００を備える１以上のセクションは、特定の色相または複数の色相が提供されることがある。図１を再び参照すれば、一実施形態において、前記第１セクション２０は、前記指爪／チップ配列１０の１以上の他のセクションとは異なる色相が提供されることがある。例えば、一実施形態において、前記第１セクション２０は、白色（指爪の光沢剤）、オフホワイトまたは白色に近い色を含み、ここで、前記第２セクション３０は、明暗が強いか、ことなる色相（指爪の光沢剤）を備えることにより、「フレンチチップ」または「フレンチマニキュア」の外観が提供されうる。さらに、例えば、前記第２セクション３０は、天然爪の色相で装うことができる半透明の重合物質を備えてもよい。また、前記第１セクション２０と前記第２セクション３０との何れか一方または両方は、いかなる色相をも提供することができる。
【００３６】
また、本発明の他の実施形態によれば、前記第１セクション２０は、前記セクションの厚さを考慮して実質的に均等な色相を有しうる。例えば、前記第１セクション２０は、実質的に均質な物質で形成されて、前記第１セクション２０の外観は、実質的に前記上面６０から前記下面８０まで同一に延びる。このように、前記指爪／チップ配列１０の彩色された前記第１セクション２０の外観は、人工爪によく発生するひっかき、削れ、こすれ及び／または剥離によって損傷されず、前記色相は、前記末端チップセクション４０の上を覆うように配された薄い層で適用可能である。さらに、本発明の実施形態による厚さを考慮して実質的に均一な色相で形成された前記第１セクション２０は、指爪の光沢剤または他の色料溶液の薄い層で人工爪のセクションをコーティングする段階だけではなく、シーリング剤で人工爪／チップ配列の薄いカラー層をシーリングする追加的な段階を減らすか、削除することができる。
【００３７】
本発明の追加的な実施形態において、前記天然爪１５に、前記代表的の指爪／チップ配列１０の適用は、次の通りである。適当なサイズの指爪／チップ配列１０の選択後、ユーザは、前記天然爪１５にシアノアクリル酸エチル（ｅｔｈｙｌｃｙａｎｏａｃｒｙｌａｔｅ）を基材とする接着剤等の一般的な接着剤を選択して適用することができる。前記指爪／チップ配列１０の前記第２セクション３０は、前記天然爪１５の前記表面を実質的に全体または一部を覆うために、前記天然爪１５上に配置することができる。圧力は、前記第２セクション３０を下側に圧迫することで、前記ネイル／チップ配列１０に適用可能である。このような圧力は、前記第２セクション３０に圧着を加えて、前記着用者の天然爪１５の表面の外形に一致させることにより、より同調される。連続して、前記ユーザは、前記第２セクション３０の上面７０に一般的な接着剤を選択して適用することができる。前記第１セクション２０は、一例として結合された指爪／チップ配列１０を形成するために、上面７０の少なくとも一部に配置されるか、重ねられる。必要であれば、一度適用された、前記指爪／チップ配列１０は、爪みがきを使って整えられて外形が形成されてもよい。また、前記指爪／チップ配列１０は、当業界に公知の方法を使って天然爪１５に適用可能である。
【００３８】
また、他の実施形態によれば、前記指爪／チップ配列１０は、単一切片で前記ユーザに提供されてもよい。すなわち、一実施形態において、前記指爪／チップ配列１０は、前記第２セクション３０に結合された前記第１セクション２０がユーザに提供されることがある。したがって、このような例で、前記指爪／チップ配列１０の適用は、結合された指爪／チップ配列１０を単に前記着用者の天然爪１５の表面に接着することである。
【００３９】
図４は、本発明による指爪／チップ配列２００の一実施形態の側面図である。図１〜図３と関連して、前述した一実施形態のように、一実施形態による指爪／チップ２００は、上面６０と下面８０とを有する第１セクション２０だけではなく、上面７０と下面９０とを有する第２セクション３０をも含みうる。前述した実施形態のように、前記第１セクション２０の前記下面８０の少なくとも一部は、境界面９５で前記第２セクション３０の上面７０の少なくとも一部と重なる。前述した他の実施形態のように、第３セクション２０５は、第１セクション２０から一定距離にあるか、反対に位置されて離間している前記第２セクション３０の上面７０の一部または指爪のキューティクル付近に提供された前記第２セクション３０の上面７０の一部８５に提供される下面２１０を含む。例えば、前記第３セクション２０５の下面２１０と前記第２セクション３０の上面７０の一部８５との間に相互作用は、他の境界面２２０を形成しうる。
【００４０】
本発明の一実施形態によれば、前記第２セクション３０の上面７０の少なくとも一部８５は、第３セクション２０５の上面２１５から離れた所で曲線を描く曲線状であり得る。他の一実施形態によれば、前記第２セクション３０の上面７０の少なくとも一部８５は、前記第３セクション２０５の上面２１５から離れて少なくとも一部が食線状に延長された直線状のセクションであり得る。このような趣旨で、前記第３セクション２０５の下面２１０の少なくとも一部は、前記第２セクション３０の上面７０の一部８５の形状に実質的に一致する形状であり得る。
【００４１】
図５と図６とは、本発明による指爪／チップ配列３００の一実施形態の側面図と上面図とである。図１〜図４と関連して、前述した一実施形態のように、一実施形態による指爪／チップ配列３００は、上面６０と下面８０とを有する第１セクション２０だけではなく、上面７０と下面９０とを有する第２セクション３０を備えうる。前述した実施形態のように、前記第１セクション２０の前記下面８０の少なくとも一部は、境界面９５で前記第２セクション３０の上面７０の少なくとも一部と重なる。また、隣接した第２セクション２０の上面６０と第３セクション３０の上面７０に上部境界線３０５を形成しうる。前記上部境界線３０５が、図５と図６とで曲線の境界線を形成すると描写されているが、前記上部境界線３０５は、例えば、直線形態、角をなした形態またはそれ以外に類似の形態を有しうる。前述した、さらなる実施形態のように、若干の凸部または突出部３１０が、上部境界線３０５に沿って提供されることがある。例えば、一実施形態において、前記若干の突出部３１０は、上部境界線３０５に隣接した第１セクション２０及び第２セクション３０のいずれも、及び何れか一つの厚さを若干増加させながら形成される。一実施形態において、前記若干の突出部３１０は、フレンチマニキュアの自然な形状に同化されて構成されうる。ペインティング／天然フレンチマニキュア技術分野の当業者は、前記若干の凸部は追加的な指爪の光沢剤層のために、フレンチラインに沿って形成されると認識することができる。
【００４２】
さらなる実施形態において、前記指爪／チップ配列１０、１００、２００、３００及び／またはそのセクション２０、３０、１２０、１３０、２０５は、射出成形によって形成される。例えば、一実施形態において、前記指爪／チップ配列１０及び／またはその前記セクション２０、３０、２０５は、本明細書において参考にしている特許文献１で説明されたとおりに、ホットチップゲート過程及び／またはランナーシステム方法で形成される。さらなる実施形態として、前記人工爪／チップ配列１０は、当業界に公知されたいかなる方法でも形成される。
【００４３】
本発明の他の実施形態において、前記指爪／チップ配列１０、１００、２００、３００及び／またはそのセクション２０、３０、２０５は、ＡＢＳプラスチック、ナイロン、テナイトアセテート（ｔｅｎｉｔｅ  ａｃｅｔａｔｅ）、酢酸ビニル、ポリカーボネート、ポリ塩化ビニルなど、またはそれらの混合物のように、人工爪の製造に一般的に使われるあらゆるプラスチック様物質から形成される。一実施形態において、前記第１セクション２０、第２セクション３０及び／または第３セクション２０５の物質は、相性がよく、化学的に互いに結合されるものが選択されて、セクションが互いに接着され、セクション間の分離の危険性が最小化される。さらに、このような物質は、着用者の天然爪１５に、前記指爪／チップ配列１０、１００、２００を適用するために使われる指爪の光沢剤または接着剤のような製品に対する化学的な抵抗力を有する。
【００４４】
前記実施形態は、本発明の内容を具体的に説明するためのものであり、これによって、本発明の範囲が決して限定して解説されることはない。本発明の記載の実施形態の修正及び変形を行うことが可能である。また、当業者は、この説明された具体化に多様な修正及び改造を行う。したがって、当業者が、本発明の思想の範囲内で、ここには確実に提示も、記述もされていないが、発明の原理を具体化する多様なシステム、配列及び方法を考案することができるということが認識されるであろう。そして、従来の技術知識が、前記のものを参照して明らかに具体化されていない範囲までも全部、ここに確かに具体化された。前記のものを参照したあらゆる刊行物全てを参照して、ここに具体化された。
【産業上の利用可能性】
【００４５】
本発明による配列、システム及び方法は、例えば、指または足指のような身体を延長させるために適用することができ、特に、指爪の美容的または視覚的な効果を上昇させるために有益である。一実施形態として、本発明は、消費者による付着（例えば、フルカバーネイル）だけではなく、専門家による付着（例えば、アクリル方法）に利用されうる。
【図１】
2011525121.tif 000003
【図２】
2011525121.tif 000004
【図３】
2011525121.tif 000005
【図４】
2011525121.tif 000006
【図５】
2011525121.tif 000007
【図６】
2011525121.tif 000008
【国際調査報告】
2011525121.tif 000009
2011525121.tif 000010